(57)【要約】【課題】  本発明は操作が簡単で、確実に複数個の被梱包材を固定状態に梱包することができるとともに、被梱包材を粘着剤で汚したり、梱包用シート材を損傷させることなく取り外すことができる手巻き梱包方法および手巻き梱包材を得るにある。【解決手段】  開口部を有する被梱包材や複数個積み重ねた被梱包材を一方の手で支持する被梱包材支持工程と、この被梱包材支持工程で被梱包材を支持する一方の手の指を用いて他方の手の指が軸となって回転させることができる幅寸法で巻き付けられたラップ止めができる包装用ストレッチフィルムの先端部を係止する包装用ストレッチフィルムの係止工程と、この包装用ストレッチフィルムの係止工程後に他方の手の指に回転可能に支持された手巻き梱包材の包装用ストレッチフィルムを引張り状態で一方の手で支持された開口部を有する梱包材や積み重ねられた複数個の被梱包材に複数回巻き付け固定して端部を切断する包装用ストレッチフィルムの巻き付け固定工程とで手巻き梱包方法を構成している。【選択図】  図３
2007308185.tif 000002
【特許請求の範囲】
【請求項１】
開口部を有する被梱包材や複数個積み重ねた被梱包材を一方の手で支持する被梱包材支持工程と、この被梱包材支持工程で被梱包材を支持する一方の手の指を用いて他方の手の指が軸となって回転させることができる幅寸法で巻き付けられた、ラップ止めができる包装用ストレッチフィルムの先端部を係止する包装用ストレッチフィルムの係止工程と、この包装用ストレッチフィルムの係止工程後に、他方の手の指に回転可能に支持された手巻き梱包材の包装用ストレッチフィルムを引張り状態で、前記一方の手で支持された開口部を有する梱包材や積み重ねられた複数個の被梱包材に複数回巻き付け固定して、端部を切断する包装用ストレッチフィルムの巻き付け固定工程とを含むことを特徴とする手巻き梱包方法。
【請求項２】
指先を挿入して回転させることができる幅寸法の円筒状のリールと、このリールに巻き付けられたラップ止めができるポリエチレン製の包装用ストレッチフィルムとからなる手巻き梱包材
【発明の詳細な説明】
【技術分野】
【０００１】
本発明は片手で持つことができる複数個の被梱包材を固定状態に梱包することができる手巻き梱包方法および手巻き梱包材に関する。
【背景技術】
【０００２】
従来、片手で持つことができる複数個の被梱包材を固定状態に梱包する場合、荷造り用テープを用いて梱包したり、梱包用シート材で覆った後、荷造り用テープで梱包用シート材を固定している。
【０００３】
このため、前者の荷造り用テープで直接複数個の被梱包材を固定する場合、荷造り用テープの粘着剤によって、被梱包材を汚してしまうという欠点があった。
また、後者の梱包用シート材を用いる方法では、梱包用シート材で覆った後、荷造り用テープで梱包用シート材を固定するため、前者の欠点を解消することはできるが、梱包用シート材を使用するためコスト高になるとともに、荷造り用テープを取り外す場合に、梱包用シート材を損傷させやすく、梱包用シート材の再使用がしずらいという欠点があった。
【特許文献１】特になし
【発明の開示】
【発明が解決しようとする課題】
【０００４】
本発明は以上のような従来の欠点に鑑み、操作が簡単で、確実に複数個の被梱包材を固定状態に梱包することができるとともに、被梱包材を粘着剤で汚したり、梱包用シート材を損傷させることなく取り外すことができる手巻き梱包方法および手巻き梱包材を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は開口部を有する被梱包材や複数個積み重ねた被梱包材を一方の手で支持する被梱包材支持工程と、この被梱包材支持工程で被梱包材を支持する一方の手の指を用いて他方の手の指が軸となって回転させることができる幅寸法で巻き付けられた、ラップ止めができる包装用ストレッチフィルムの先端部を係止する包装用ストレッチフィルムの係止工程と、この包装用ストレッチフィルムの係止工程後に、他方の手の指に回転可能に支持された手巻き梱包材の包装用ストレッチフィルムを引張り状態で、前記一方の手で支持された開口部を有する梱包材や積み重ねられた複数個の被梱包材に複数回巻き付け固定して、端部を切断する包装用ストレッチフィルムの巻き付け固定工程とで手巻き梱包方法を構成している。
【０００７】
本発明は指先を挿入して回転させることができる幅寸法の円筒状のリールと、このリールに巻き付けられたラップ止めができるポリエチレン製の包装用ストレッチフィルムとで手巻き梱包材を構成している。
【発明の効果】
【０００８】
以上の説明から明らかなように、本発明にあっては次に列挙する効果が得られる。
【０００９】
（１）開口部を有する被梱包材や複数個積み重ねた被梱包材を一方の手で支持する被梱包材支持工程と、この被梱包材支持工程で被梱包材を支持する一方の手の指を用いて他方の手の指が軸となって回転させることができる幅寸法で巻き付けられた、ラップ止めができる包装用ストレッチフィルムの先端部を係止する包装用ストレッチフィルムの係止工程と、この包装用ストレッチフィルムの係止工程後に、他方の手の指に回転可能に支持された手巻き梱包材の包装用ストレッチフィルムを引張り状態で、前記一方の手で支持された開口部を有する梱包材や積み重ねられた複数個の被梱包材に複数回巻き付け固定して、端部を切断する包装用ストレッチフィルムの巻き付け固定工程とからなるので、複数個の被梱包材を片手で持ち、その片手の指でラップ止めできる包装用ストレッチフィルムの先端部を押え、他方の手の指に回転可能に支持された手巻き梱包材の包装用ストレッチフィルムを複数個の被梱包材に引張り状態で巻き付けることにより、複数個の被梱包材を固定状態に梱包することができる。
したがって、簡単な操作で確実に複数個の被梱包材を固定状態に梱包することができる。
なお、包装用ストレッチフィルムで複数個の被梱包材全体を覆うことにより、複数個の被梱包材が汚れたり傷ついたりするのを確実に防止することができる。
【００１０】
（２）前記（１）によって、手巻き梱包材の包装用ストレッチフィルムはラップ止めできるので、従来のように被梱包材を粘着剤で汚したり、包装用シート材を荷造り用テープの取り外し時に損傷させたりするのを確実に防止することができる。
【００１１】
（３）前記（１）によって、手巻き梱包材に指先を挿入して複数個の被梱包材の外周部を回転させて、包装用ストレッチフィルムを巻き付けているので、短時間に確実に固定状態で梱包することができ、梱包効率の向上を図ることができる。
【００１２】
（４）前記（１）によって、被梱包材に取付けることができない保冷剤やドライアイスでも被梱包材に巻き付け固定することができる。
したがって、包装袋を用いることなく、保冷剤やドライアイスで被梱包材を冷却することができる。
【００１３】
（５）請求項２も前記（１）〜（４）と同様な効果が得られる。
【発明を実施するための最良の形態】
【００１４】
以下、図面に示す本発明を実施するための最良の形態により、本発明を詳細に説明する。
【００１５】
図１ないし図５に示す本発明を実施するための最良の第１の形態において、１は本発明の手巻き梱包方法で、この手巻き梱包方法１は袋詰めのハム、ウインナー、ケーキ等の冷蔵品の被梱包材２に、被梱包材としての保冷剤３を積み重ねたものを、図２に示すように一方の手４で支持する被梱包材支持工程５と、この被梱包材支持工程５で被梱包材２、保冷剤３を支持する一方の手４の指６を用いて、図３に示すように他方の手７の指８が軸となって回転させることができる幅寸法、例えば２０ｍｍ〜５０ｍｍ、軸孔９が３５ｍｍで巻き付けられたラップ止めができる包装用ストレッチフィルム１０の先端部を係止する包装用ストレッチフィルムの係止工程１１と、この包装用ストレッチフィルムの係止工程１１後に、図４に示すように他方の手７の指８に回転可能に支持された手巻き梱包材１２の包装用ストレッチフィルム１０を引張り状態で、前記一方の手４で支持された積み重ねられた保冷剤３と被梱包材２に複数回巻き付けして、端部を引張って切断することでより確実にラップ止めができる包装用ストレッチフィルムの巻き付け固定工程１３とで構成されている。
【００１６】
前記手巻き梱包材１２は図５に示すように内径寸法が、例えば３５ｍｍで、幅寸法が２０ｍｍ〜５０ｍｍのリール１４と、このリール１４に巻き付けられたラップ止めができる、例えば０．０２ｍｍの厚さの透明あるいは半透明なポリエチレン製の包装用ストレッチフィルム１０で構成されている。
【００１７】
上記構成の手巻き梱包材１２を用いた手巻き梱包方法１では、手巻き梱包材１２を他方の手７の指８を軸にして回転させながら、保冷剤３と被梱包材２との外周部に包装用ストレッチフィルム１０を巻き付けて固定することができる。
このため、その作業が容易で、確実に短時間に行なうことができるとともに、固定用に使用された包装用ストレッチフィルム１０は従来の荷造り用テープのように粘着剤を使用していないため、従来のラップと同様に容易に取り外すことができる。
なお、本発明を実施する形態では保冷剤に代えてドライアイスを用いても、同様に実施できる。
[発明を実施するための異なる形態]
【００１８】
次に、図６ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図６ないし図８に示す本発明を実施するための第２の形態において、前記本発明を実施するための最良の第１の形態と主に異なる点は、被梱包材として小さな段ボール１５と、この段ボール１５に重ねられる被梱包材としての送り状、値札や荷札１６を一方の手４で支持する被梱包材支持工程５Ａと、この被梱包材支持工程５Ａで支持された段ボール１５と送り状、値札や荷札１６を包装用ストレッチフィルムの巻き付け固定工程１３Ａで、段ボール１５と送り状、値札や荷札１６を固定するとともに、送り状、値札や荷札１６を巻き付けられた包装用ストレッチフィルム１０の外側より見えるようにした点で、このような手巻き梱包方法１Ａを行なっても、前記本発明を実施するための最良の第１の形態と同様な作用効果が得られる。
【００２０】
図９ないし図１１に示す本発明を実施するための第３の形態において、前記本発明を実施するための最良の第１の形態と主に異なる点は、雑誌や本等の開口部を有する被梱包材２Ａを用いて、被梱包材包装支持工程５Ｂ、包装用ストレッチフィルムの係止工程１１Ａ、包装用ストレッチフィルムの巻き付け固定工程１３Ｂを行なった点で、このような手巻き梱包方法１Ｂを行なっても、前記本発明を実施するための最良の第１の形態と同様な作用効果が得られる。
【００２１】
図１２ないし図１４に示す本発明を実施するための第４の形態において、前記本発明を実施するための最良の第１の形態と主に異なる点は、コーヒー皿１７とコーヒーカップ１８とからなる被梱包材２Ｂを梱包用シート材としてのエアーキャップ１９で覆ったのち、包装用ストレッチフィルムの巻き付け固定工程１３Ｃを行なった点で、このような手巻き梱包方法１Ｃを行なっても、前記本発明を実施するための最良の第１の形態と同様な作用効果が得られるとともに、梱包用シート材としてのエアーキャップ１９を損傷することなく巻きつけた包装用ストレッチフィルム１０を除去でき、梱包用シート材としてのエアーキャップ１９の再使用ができ、嵩張るゴミとなるのを効率よく防止することができる。
【００２２】
図１５ないし図１７に示す本発明を実施するための第５の形態において、前記本発明を実施するための最良の第１の形態と主に異なる点は、足や手本発明を実施する形態では手２０を冷やして治療を行う場合、冷やす手の部位に保冷剤３を位置させて包装用ストレッチフィルムの巻き付け固定工程１３Ｄを行なった点で、このような手巻き梱包方法１Ｄを行なっても、前記本発明を実施するための最良の第１の形態と同様な作用効果が得られるとともに、冷やしたい部位に確実に保冷剤３を保持することができる。
【００２３】
なお、本発明は前記本発明を実施する各形態以外に、万引き防止タグの固定、
段ボールの封止、エアーキャップ、ミラーシートの巻き付け固定、瀬戸物の固定、破損防止、ＰＣ付属品の固定、ケーブル類の結束、お札の結束、整理、身の回りのちょっとした物の固定等に幅広く使用することができる。
また、包装用ストレッチフィルムを着色したものを用いることにより、被梱包材に巻きつけると美観の向上を図る目的で使用することもできるる。
【産業上の利用可能性】
【００２４】
本発明は手巻き梱包を行なう産業や手巻き梱包材を製造する産業で利用される。
【図面の簡単な説明】
【００２５】
【図１】本発明を実施するための最良の第１の形態の工程図。
【図２】本発明を実施するための最良の第１の形態の被梱包材支持工程の説明図。
【図３】本発明を実施するための最良の第１の形態の包装用ストレッチフィルムの係止工程の説明図。
【図４】本発明を実施するための最良の第１の形態の包装用ストレッチフィルムの巻き付け固定工程の説明図。
【図５】本発明を実施するための最良の第１の形態の手巻き梱包材の説明図。
【図６】本発明を実施するための第２の形態の工程図。
【図７】本発明を実施するための第２の形態の被梱包材支持工程の説明図。
【図８】本発明を実施するための第２の形態の包装用ストレッチフィルムの巻き付け固定工程の説明図。
【図９】本発明を実施するための第３の形態の工程図。
【図１０】本発明を実施するための第３の形態の被梱包材支持工程の説明図。
【図１１】本発明を実施するための第３の形態の包装用ストレッチフィルムの巻き付け固定工程の説明図。
【図１２】本発明を実施するための第４の形態の工程図。
【図１３】本発明を実施するための第４の形態の被梱包材支持工程の説明図。
【図１４】本発明を実施するための第４の形態の包装用ストレッチフィルムの巻き付け固定工程の説明図。
【図１５】本発明を実施するための第５の形態の工程図。
【図１６】本発明を実施するための第５の形態の被梱包材支持工程の説明図。
【図１７】本発明を実施するための第５の形態の包装用ストレッチフィルムの巻き付け固定工程の説明図。
【符号の説明】
【００２６】
１、１Ａ、１Ｂ、１Ｃ、１Ｄ：手巻き梱包方法、
２、２Ａ：被梱包材            、                    ３：保冷剤、
４：一方の手、
５、５Ａ、５Ｂ：被梱包材支持工程、    
６：指、                                            ７：他方の手、
８：指、                                            ９：軸孔、
１０：包装用ストレッチフィルム、
１１、１１Ａ：包装用ストレッチフィルムの係止工程、
１２：手巻き梱包材、                    
１３、１３Ａ、１３Ｂ、１３Ｃ、１３Ｄ：包装用ストレッチフィルムの巻き付け固定工程、
１４：リール、                                １５：段ボール、
１６：送り状、値札や荷札、    １７：コーヒー皿、
１８：コーヒーカップ、        １９：梱包用シート材としてのエアーキャップ
２０：手。
【図１】
2007308185.tif 000003
【図２】
2007308185.tif 000004
【図３】
2007308185.tif 000005
【図４】
2007308185.tif 000006
【図５】
2007308185.tif 000007
【図６】
2007308185.tif 000008
【図７】
2007308185.tif 000009
【図８】
2007308185.tif 000010
【図９】
2007308185.tif 000011
【図１０】
2007308185.tif 000012
【図１１】
2007308185.tif 000013
【図１２】
2007308185.tif 000014
【図１３】
2007308185.tif 000015
【図１４】
2007308185.tif 000016
【図１５】
2007308185.tif 000017
【図１６】
2007308185.tif 000018
【図１７】
2007308185.tif 000019